(57)【要約】【課題】簡単な構成で基板の遮光幕との対向面に凹凸が無く且つ基板の帯状電極と駆動回路との接続が容易な光量調節装置を提供する。【解決手段】シャッタ装置２１は、透明で表裏両面が平滑な例えばガラス板の組み立て後に最外側となる面に光学的開口部２２と遮光幕非移動部２３を除く部分に帯状電極２４を備えた第１の基板２５、第１の遮光幕２７を移動可能に枠内に収容する第１のスペーサ２６、両面が平滑で光学的開口部３３を有し他の部分に遮光性を備えた仕切り板２８、第２の遮光幕２９を移動可能に収容する第２のスペーサ３１及び第１の基板２５と同一の構成で仕切り板２８の中心に対して点対称で配置される第２の基板３２が密着して積層される。第１及び第２の遮光幕が摺接する相手部材は一方が平滑な面を有する仕切り板であり他方が何も配設されていない基板面であるので移動の円滑な動作が保証される。また帯状電極が組み立て後のシャッタ装置２１の最外側に配設されるので駆動回路と接続するための配線が容易である。【選択図】      図４
2005326600.tif 000002
【特許請求の範囲】
【請求項１】
光学的開口部と帯状電極を有する第１の基板と、予め所望のピッチで電気的に分極され前記第１の基板の前記帯状電極により駆動される第１の遮光幕と、予め所望のピッチで電気的に分極された第２の遮光幕と、該第２の遮光幕を駆動するための帯状電極及び光学的開口部を有する第２の基板と、の順で積層される光量調節装置において、
前記第１の基板は、前記第１の遮光幕と対向する面の反対側の面に前記帯状電極を設けられ、
前記第２の基板は、前記第２の遮光幕と対向する面の反対側の面に前記帯状電極を設けられる、
ことを特徴とする光量調節装置。
【請求項２】
前記第１の基板及び前記第２の基板の前記帯状電極が設けられている面は、それぞれ前記帯状電極の上に保護層を備えている、ことを特徴とする請求項１記載の光量調節装置。
【請求項３】
請求項１又は２に記載の光量調節装置を光学系のシャッタ位置に備えたことを特徴とするカメラ。
【発明の詳細な説明】
【技術分野】
【０００１】
簡単な構成で基板の遮光幕との対向面に凹凸が無く且つ基板の帯状電極と駆動回路との接続が容易な光量調節装置及びそれを用いたカメラに関する。
【背景技術】
【０００２】
従来、位置決め装置等の駆動原として静電アクチュエータが提案されている。このような静電アクチュエータの移動子には、永久分極された誘電体の部位を備えたエレクトレットと呼ばれる構成を備えている。また、この提案には、帯状電極の上にポリイミドフイルムを蒸着して絶縁層を形成することが開示されている。（例えば、特許文献１参照。）
また、カメラのシャッタ機構のような光量調節装置の遮光幕（移動子に相当）の位置決め装置に誘電電荷型アクチュエータを用いる例も提案されている。そのシャッタ機構としては、１個のステータ（固定子）に対しスライダ（移動子又は遮光幕に相当）が１個のものと２個のものがあり、いずれもスライダをシャッタ羽根として機能させている。また、この提案には、帯状電極及び基板の上を絶縁層で覆い、更にこの上をカバーフィルムで覆うことが開示されている。（例えば、特許文献２参照。）
上記いずれの場合も、帯状電極の上に絶縁層を設けることについての作用については記載がないが、絶縁層とあるからには絶縁が目的であると観ることができる。また、絶縁以外の作用については、図を見ると、帯状電極を配設された基板面の凹凸が平坦化されているから、帯状電極面に摺接しながら移動する移動子（スライダ）の移動を円滑に行わせる作用もあるかと思い計ることもできる。
【特許文献１】特開平０４−１１２６８３号公報（５２０頁４欄５行目〜５２１頁１欄１８行目、第１図）
【特許文献２】特開平０８−２２０５９２号公報（［要約］、図１、［００１１］、図２）
【発明の開示】
【発明が解決しようとする課題】
【０００３】
しかしながら、実際に帯状電極配設面の凹凸を平滑化できるまで絶縁性部材の蒸着等により帯状電極配設面に絶縁性薄膜を施すことは、それなりの蒸着工程が必要となって、基板の製造価格の上昇を招くという問題を有している。
また、スライダを２枚構成として絞りシャッタを形成するために、スライダと対向する基板の両面に帯状電極を設けた場合、帯状電極を駆動する駆動回路との接続が複雑な構成となって製作工程で高度な技術が要求されるようになり、この点でも基板の製造価格の上昇を招くという問題が残されている。
【０００４】
本発明の課題は、上記従来の実情に鑑み、簡単な構成で基板の遮光幕との対向面に凹凸が無く且つ基板の帯状電極と駆動回路との接続が容易な光量調節装置及びそれを用いたカメラを提供することである。
【課題を解決するための手段】
【０００５】
以下に、本発明に係わる光量調節装置及びそれを用いたカメラの構成を述べる。
先ず、第１の発明の光量調節装置は、光学的開口部と帯状電極を有する第１の基板と、予め所望のピッチで電気的に分極され上記第１の基板の上記帯状電極により駆動される第１の遮光幕と、予め所望のピッチで電気的に分極された第２の遮光幕と、該第２の遮光幕を駆動するための帯状電極及び光学的開口部を有する第２の基板と、の順で積層される光量調節装置において、上記第１の基板は、上記第１の遮光幕と対向する面の反対側の面に上記帯状電極が設けられ、上記第２の基板は、上記第２の遮光幕と対向する面の反対側の面に上記帯状電極が設けられるように構成される。
【０００６】
そして、例えば、上記第１の基板及び上記第２の基板の上記帯状電極が設けられている面は、それぞれ上記帯状電極の上に保護層を備えて構成される。
次に、第２の発明のカメラは、上記に記載のいずれかの光量調節装置を光学系のシャッタ位置に備えて構成される。
【発明の効果】
【０００７】
本発明によれば、基板の遮光幕と対向する面の反対側の面に帯状電極を設けるので、基板の遮光幕と対向する面に帯状電極による凹凸がなくなり、基板の遮光幕と対向する面に平滑化のための追加の工程なしに、円滑な遮光幕の移動動作を実現することができる。
【発明を実施するための最良の形態】
【０００８】
以下、本発明の実施の形態を図面を参照しながら説明する。
【実施例１】
【０００９】
図１(a),(b) は、実施例１の光量調節装置としてのシャッタ装置を備えたレンズ装置が組み込まれるデジタルカメラの概略構成を示す図であり、同図(a) はそのデジタルカメラの前面からの外観を示す斜視図、同図(b) はデジタルカメラ内部の主要部の配置状態を示す斜視図である。
【００１０】
同図(a) に示すように、デジタルカメラ１は、前面右上隅に撮影レンズ窓２を備え、その左方にストロボ照射窓３を備えている。また、上面の左端部にはレリーズボタン４が設けられている。
同図(b) に示すように、デジタルカメラ１の内部は、全体の左方ほぼ２／３を占めて、各種の電子部品を搭載した回路基板５からなる制御装置や着脱交換自在な電池６などが配置されている。そして、その右方の全体のほぼ１／３を占める部分には、ユニット化されたレンズ装置７が配設されている。
【００１１】
レンズ装置７は、同図(a) の撮影レンズ窓２から同図(b) に示す撮影光軸Ｏ１に沿って入射する被写体からの光束を、その光軸Ｏ１がほぼ直角に下方に折り曲がるように反射させ、その下方に折り曲げられた後述する第２の光軸Ｏ２に沿って、上記の入射光束を、レンズ装置７の下端部に配設されている例えばＣＣＤなどからなる撮像素子まで導いて撮像画像を生成する。
【００１２】
図２は、図１(b) に示すレンズ装置７のＡ−Ａ´矢視断面をデジタルカメラ１の図１(b) の左方から見た図であり、レンズユニット各部の概略の構成を示している。図１(b) に示したレンズ装置７の内部には、この図２に示すように、上記下方に折り曲げられた第２の光軸Ｏ２に沿って、第１の固定鏡枠部８にレンズ群が保持された第１の固定レンのズ部９、第１の移動鏡枠１１にレンズ群が保持された第１の移動レンズ部１２、第２の移動鏡枠１３にレンズ群が保持された第２の移動レンズ部１４、第３の移動鏡枠１５にレンズが保持された第３の移動レンズ部１６、及び第２の固定鏡枠部１７にレンズが保持された第２の固定レンズ部１８が備えられている。そして、これらのレンズ部の終端に撮像素子１９が配置されている。
【００１３】
上記第１の移動レンズ部１２及び第２の移動レンズ部１４は、このレンズ装置７の光学系の第２の光軸Ｏ２に沿って入射する被写体の光束の焦点距離を変化させる、つまりズーム比調節用のために設けられ、第３の移動レンズ部１６は、上記の光束が撮像素子１９上に結像する焦点調節のために設けられている。そして、上記第１の移動レンズ部１２と第２の移動レンズ部１４の間には、シャッタ位置（絞り位置でもある）２０が設けられている。
【００１４】
図３(a) は、図１(b) に示したレンズ装置７をデジタルカメラ１の図１(b) の背面側から見た拡大斜視図であり、図３(b) はそのシャッタ装置を単独に示す図である。図３(a) に示すように、レンズ装置７には、図２に示したシャッタ位置（絞り位置）２０にシャッタ装置２１が組み込まれている。シャッタ装置２１は、図３(b) に示すように、やや矩形の平らな板状体をなす装置であり、上部の面には、図２に示した第２の光軸Ｏ２の透過路となり且つ光束を制限する光学的開口部２２と、この光学的開口部２２に対し矩形の長辺方向に隣接する遮光幕非移動部２３と、この遮光幕非移動部２３と光学的開口部２２とを除く全面に帯状電極（駆動電極）２４が形成されている。
【００１５】
このシャッタ装置２１の光学的開口部２２を透過する第２の光軸Ｏ２の終端すなわちレンズ装置７の下端部には、図２にも示した撮像素子１９が配置されている。
図４は、上記シャッタ装置２１の分解斜視図である。同図に示すように、シャッタ装置２１は、図の左下から示す第１の基板２５、第１のスペーサ２６、第１の遮光幕２７、仕切り板２８、第２の遮光幕２９、第２のスペーサ３１、及び第２の基板３２とで構成される。
【００１６】
第１の基板２５は、透明な部材（例えばガラス板）を基材とし、中央に上述した光学的開口部２２を備え、組み立て後に外側となる面（図では斜め左下側方向を向く面）には、これも上述したように、遮光幕非移動部２３と光学的開口部２２とを除く全面に、第１の遮光幕２７を駆動するための帯状電極２４が形成されている。
【００１７】
この帯状電極２４の配設部には、特には図示しないが、絶縁性の保護層が形成されている。この保護層は、電極部の保護のみが目的であり、基板面に高精度な平滑面を形成する必要は無いから、蒸着などの高価な処理方法を用いる必要は無く、例えば接着剤の塗布といったような安価かつ簡単な方法で形成することができる。
【００１８】
第１のスペーサ２６は、組み立て時に仕切り板２８に密着したとき、枠内に第１の遮光幕２７を収容し、第１の基板２５と仕切り板２８との間に第１の遮光幕２７を移動可能に保持する間隙を維持するために設けられている。
第１の遮光幕２７は、遮光性を有する部材であり、予め所望のピッチで電気的に永久分極された誘電体の部位を備えて（詳しくは後述するエレクトレットが施されて）構成される。
【００１９】
仕切り板２８は、第１の遮光幕２７と第２の遮光幕２９が互いの動きを阻害しないように仕切るために設けられており、上記第１の基盤２５の光学的開口部３３に対応する位置となる中心部に光学的開口部３３を備えている。また、この仕切り板２８は、素材としては薄板ガラス、樹脂シート部材、薄い金属シート部材等で構成され、上記第１の基板２５及び第２の基板３２よりも薄く形成されている。
【００２０】
そして、薄板ガラスの場合は例えば光学的開口部３３以外の面を遮光性部材で覆うような所定の表面処理が施されて構成される。また、樹脂シート部材又は薄い金属シート部材の場合は、光学的開口部３３はシート部材を物理的に貫通する穿設孔で形成され、光学的開口部３３以外の面は全面が反射防止処理を施され構成される。
【００２１】
上記の仕切り板２８に続く第２の遮光幕２９、第２のスペーサ３１及び第２の基板３２は、上記仕切り板２８の中心に形成されている光学的開口部３３の中心に対して、第１の遮光幕２７、第１のスペーサ２６及び第１の基板２５と対称形に配置されている。
そして第２の遮光幕２９の構成は第１の遮光幕２７の構成と同様であり、第１の遮光幕２７と第２の遮光幕２９とは、仕切り板２８を挟んで相互に重なる部分が、仕切り板２８の光学的開口部３３の中心点に対し点対称の形状で、三角状に切り欠かれて形成されている。これにより、このシャッタ装置２１の撮影開始前の設定移動によって上記三角状の谷２６−１と２９−１との距離を調節することで、所望の大きさの光学的開口（絞り）を得ることができるものとなっている。
【００２２】
また、第２の基板３２の構成も第１の基板２５の構成と同様である。すなわち、第２の基板３２の組み立て後に外側となる面（図では斜め右上側方向を向く面）には、光学的開口部３４が形成され、この光学的開口部３４とその一方側に隣接する空白部３５とを除く全面に、第２の遮光幕２９を駆動するための帯状電極３６が形成されている。
【００２３】
また、第２のスペーサ３１の構成も第１のスペーサ２６の構成と同様であり、組み立て時に仕切り板２８に密着したとき、枠内に第２の遮光幕２９を収容し、第２の基板３２と仕切り板２８との間に第２の遮光幕２９を移動可能に保持する間隙を維持するために設けられている。
【００２４】
これら上記の構成において、組み立て時には、第１の基板２５、第１の遮光幕２７、仕切り板２８、第２の遮光幕２９、そして第２の基板３２の順に、第１のスペーサ２６と第２のスペーサ３１で順次位置決めされながら、第１の遮光幕２７が第１の基板２５と仕切り板２８の間を移動可能で第２の遮光幕２９が第２の基板３２と仕切り板２８の間を移動可能なように、各部材が積層される。
【００２５】
そして、第１の遮光幕２７及び第２の遮光幕２９は、詳しくは後述するように、予め所望のピッチで電気的に分極されたエレクトレットが施されており、それぞれ第１のスペーサ２６及び第２のスペーサ３１の枠内に嵌入し、第１の基板２５の帯状電極２４及び第２の基板３２の帯状電極３６によって駆動され、あるときは光学的開口部２２、３３及び３４の光路を遮断し、あるときは絞り開放又は全開放するように移動する。
【００２６】
このような第１の遮光幕２７及び第２の遮光幕２９の移動において、第１の遮光幕２７及び第２の遮光幕２９の両面が摺接する相手部材は、一方は薄板ガラス、樹脂シート部材、又は薄い金属シート部材等で形成された仕切り板２８であり、他方は例えばガラス板のような透明で平滑な面を有する部材を基材とする第１の基板２５又は第２の基板３２の何も配設されていない方の面であるので、移動の動作を妨げるものは何も無く、極めて円滑な動作が保証されている。
【００２７】
また、上記の帯状電極２４及び３６は、このシャッタ装置２１の組み立て後には最外側となる第１の基板２５及び第２の基板３２のそれぞれ外側面に配設されているので、駆動回路と接続するための基板内の配線が容易であり、基板製造工程やシャッタ装置組み立て工程において作業能率の向上に貢献することができる。
【００２８】
図５(a),(b) は、本発明のシャッタ装置２１におけるシャッタ機構の駆動原理を説明する図である。尚、以下の駆動原理の説明では、第１の基板２５（又は第２の基板３２）に代えて固定子３８と言い、第１の遮光幕２７（又は第２の遮光幕２９）に代えて移動子３９と言うことにする。
【００２９】
本シャッタ機構は、基本的に固定子３８と移動子３９とを備え、移動子３９は、固定子３８に対して同図(a),(b) に示すように左右方向に移動自在に構成されている。そして、固定子３８には、被写体からの光像を撮像素子（図２、図３の撮像素子１９参照）に導くための開口部（光学的開口４１）が設けられ、更に、複数の帯状電極４２が所定の間隔で並べて形成されている。他方の移動子３９は、遮光性を有する部材であり、永久分極された誘電体の部位を備えている。このような移動子３９の構成はエレクトレットと呼ばれている。
【００３０】
一般に、エレクトレットとは、電気を通しにくい例えばテフロン（登録商標）、ポリプロピレン、マイラーなどの高分子材料を加熱溶融し、これに直流の高電圧を加えながら電極の間で固化させたあとで電極を取り去ると、電極に接していた面が正または負に帯電し、これらの分極（正と負の電気に分かれた状態）が半永久的に保持されているもののことを称する用語である。
【００３１】
上記のシャッタ機構において、帯状電極４２に正負の電圧を周期的に印加すると、帯状電極４２と移動子３９の上記エレクトレットとの間に吸引力又は反発力が発生し、結果的に移動子３９が固定子３８に対して相対移動する。
したがって、移動子３９が固定子３８の開口部（光学的開口４１）を開放又は遮蔽するように移動可能にすることによってシャッタ機構を構成することができる。図５(a) はシャッタが開の状態を示し、同図(b) はシャッタが閉の状態を示している。以下、本構成に係るシャッタ機構を「エレクトレットシャッタ」と称することにする。
【００３２】
なお、固定子３８の開口部（光学的開口４１）は、必ずしも貫通孔のような物理的な開口部とする必要はなく、固定子３８を透過部材とし、開口部に相当する位置に帯状電極４２が設けられていない透過領域を形成するようにしても良い。
図６は、エレクトレットシャッタとその駆動回路を模式的に示す図である。同図は右にエレクトレットシャッタの断面を模式的に示し、左に駆動回路をブロック図で示している。同図に示すように、固定子３８に並べられたそれぞれの帯状電極４２には、駆動（電圧印加）回路４３からの電圧信号線が接続されている。この電圧信号線には４相の電圧信号が印加され、従って、帯状電極４２には、４本毎に同一の電圧信号が印加される。図６では、帯状電極４２にＡ、Ｂ、Ｃ、Ｄの符号を付してこの電圧信号を区別している。
【００３３】
この固定子３８の帯状電極４２の配設面に対向して移動子３９が配置されている。移動子３９には、固定子３８との対向面に永久分極された上述した誘電体（エレクトレット）４４を複数備えている。
同図の左に示す駆動回路４３では、パルス発生回路４５で矩形波列（駆動パルス信号）が生成され、この駆動パルス信号が昇圧回路４６と位相器４７に供給される。昇圧回路４６では、入力した駆動パルス信号を１００Ｖ程度まで昇圧するとともに、２つの極性を有する電圧信号に分岐して、帯状電極Ａ及びＣに供給する。
【００３４】
他方、位相器４７に入力した駆動パルス信号は、９０°位相が遅れた波形となり、その後、昇圧回路４６に入力されて、上述と同様の２つの極性を有する電圧信号に分岐されて帯状電極Ｂ及びＤに供給される。
図７は、駆動回路４３によって生成されて帯状電極４２に印加される電圧信号列を示す図である。帯状電極４２の電圧の状態は、期間Ｔにおけるｔ１〜ｔ４の４つの状態変化が時間ｔにおける期間Ｔごとの経過に対応して繰り返される。
【００３５】
図８(a) 〜(d) は、上記のエレクトレットシャッタの動作を更に説明する図である。同図(a) は図７において各帯状電極４２（Ａ，Ｂ，Ｃ，Ｄ）の電圧状態が、図７に示したｔ１の印加電圧の状態に切り替った直後のエレクトレットと帯状電極との対応関係を示している。
【００３６】
エレクトレット４４ａは、帯状電極Ａから反発力を受け、帯状電極Ｂから吸引力を受ける。また、エレクトレット４４ｂは、帯状電極Ｃから反発力を受け、帯状電極Ｄから吸引力を受ける。このため、移動子３９は図の右方向に力を受けて、１つの帯状電極ピッチｄだけ移動する。
【００３７】
図８(b) は、上記に続いて図７に示したｔ２の印加電圧の状態に切り替った直後のエレクトレットと帯状電極との対応関係を示している。エレクトレット４４ａは、帯状電極Ｂから反発力を受け、帯状電極Ｃから吸引力を受ける。また、エレクトレット４４ｂは、帯状電極Ｄから反発力を受け、帯状電極Ａから吸引力を受ける。このため、移動子３９は図の右方向に力を受けて、再び１つの帯状電極ピッチｄだけ移動する。
【００３８】
図８(c) は、上記に続いて図７に示したｔ３の印加電圧の状態に切り替った直後のエレクトレットと帯状電極との対応関係を示し、図８(d) は、同図(c) に続いて図７に示したｔ４の印加電圧の状態に切り替った直後のエレクトレットと帯状電極との対応関係を示している。図８(a),(b) で説明した動作と同様に、移動子３９は、１つの帯状電極ピッチｄだけ順次移動する。
【００３９】
そして、この動作が繰り返されることにより、移動子３９は図の右方向に移動する。なお、移動子３９を図の左方向に移動するためには、帯状電極４２に印加する電圧の極性を逆に切り替えればよい。
このように、本例の移動子３９は、それ自体が半永久的な分極帯電部を備えているので、例えば誘導電荷形アクチュエータのように、電圧印加、電荷蓄電及び静電誘導を繰り返す手数と時間を要することなく、単に駆動電圧の印加だけで移動子を迅速に駆動することができる。
【実施例２】
【００４０】
図９(a) は、実施例２の光量調節装置としてのフォーカルプレーンシャッタ装置が組み込まれたカメラ本体の交換レンズを取り外した正面図であり、同図(b) はその交換レンズの正面図である。
同図(a) に示すカメラ本体５０は、交換レンズ取り付け部５１から同図(b) に示す交換レンズ５２を取り外してレンズ背後に在る内部構成を示している。同図(a) に示す内部構成において、焦点面の被写体側近傍に実施例２としてのフォーカルプレーンシャッタ装置５３が組み込まれている。同図ではフォーカルプレーンシャッタ装置５３の中央部分が見えている。
【００４１】
尚、同図(a) には、フォーカルプレーンシャッタ装置５３を図示しやすくするために、本来はその手前に配置されているクイックリターンミラーの図示を省略している。また、このカメラ本体５０は、図の左側に電池室を兼ねた握り部５４があり、その上面部にシャッタボタン５５を備えている。
【００４２】
図１０は、実施例２としてのフォーカルプレーンシャッタ装置５３の分解斜視図である。同図に示すように、本例のフォーカルプレーンシャッタ装置５３は、同図の左から示す第１の基板５６、第１のスペーサ５７、第１の遮光幕５８、仕切り板５９、第２の遮光幕６１、第２のスペーサ６２、及び第２の基板６３とで構成される。
【００４３】
第１の基板５６は、例えばガラス板のような透明な部材からなり、組み立て後に外側となる面（同図の左下側方向を向く面）には、光学的開口部６４と遮光幕非移動部６５を除く面全面に、帯状電極６６が設けられている。
第２の基板６３も同様にガラス板のような透明な部材からなり、第１の基板５６に対し、仕切り板５９の中心に形成されている光学的開口部６０の中心点に対し点対称の形状で、光学的開口部６７と遮光幕非移動部６８を除く外側面全面に帯状電極６９が設けられている。
【００４４】
第１のスペーサ５７は、第１の基板５６と仕切り板５９との間に第１の遮光幕５８が移動可能な間隙を維持するために配置されている。第２のスペーサ６２も同様に、第２の基板６３と仕切り板５９との間に第２の遮光幕６１が移動可能な間隙を維持するために配置されている。
【００４５】
本例の仕切り板５９も、第１の遮光幕５８と第２の遮光幕６１が互いの動きを阻害しないように仕切るために設けられており、上記第１の基盤５６の光学的開口部６４に対応する位置つまり中心に上述した光学的開口部６０を備えている。また、この仕切り板５９は、素材としては薄板ガラス、樹脂シート部材、薄い金属シート部材等で構成され、上記第１の基板５６及び第２の基板６３よりも薄く形成されていることが好ましい。
【００４６】
そして、薄板ガラスの場合は例えば光学的開口部３３以外の面を遮光性部材で覆うような所定の表面処理が施されて構成される。また、樹脂シート部材又は薄い金属シート部材の場合は、光学的開口部３３はシート部材を物理的に貫通する穿設孔で形成され、光学的開口部３３以外の面は全面が反射防止処理を施されて構成される。遮光性部材で覆う処理、又は反射防止処理のいずれを行う場合も、仕切り板５９を形成する部材が本来備えている表面の平滑性が失われることがないように処理される。
【００４７】
上記第１の遮光幕５８及び第２の遮光幕６１は、詳しくは前述したように、予め所望のピッチで電気的に分極されたエレクトレットが施されており、それぞれ第１のスペーサ５７及び第２のスペーサ６２の枠内に嵌入し、第１の基板５６の帯状電極６６及び第２の基板６３の帯状電極６９によって駆動され、あるときは光学的開口部６４、６０及び６７の光路を遮断し、あるときは開放するように移動する。
【００４８】
この場合も、上記のような第１の遮光幕５８及び第２の遮光幕６１の移動において、第１の遮光幕５８及び第２の遮光幕６１の両面が摺接する部材は、一方は薄板ガラス、樹脂シート部材、又は薄い金属シート部材等で形成された仕切り板５９であり、他方は例えばガラス板のような透明で平滑な面を有する部材を基材とする第１の基板２５又は第２の基板３２の何も配設されていない方の面であるので、移動の動作を妨げるものは何も無く、極めて円滑な動作が保証されている。
【００４９】
また、本例においても、帯状電極６６及び６９の配設は、基板の遮光幕との対向面ではないので、絶縁保護層の形成は、実施例１の場合と同様に、例えば接着剤の塗布といったような安価かつ簡単な方法で形成することができる。
また、同様に帯状電極６６及び６９の配設は、このシャッタ装置５３の組み立て後には最外側となる第１の基板５６及び第２の基板６３のそれぞれ外側面であるので、この場合も駆動回路と接続するための基板内の配線が容易である。
【００５０】
また、上記の実施例１及び２において、２枚の遮光幕を駆動する２箇所の帯状電極が、１個の基板の表裏ではなく、２枚の基板の外側すなわち遮光幕と対向する面の反対側面にそれぞれ配設されているので、それぞれの帯状電極の駆動信号が相互に干渉して遮光幕の駆動に影響を及ばすという虞が無くなる。
【００５１】
また、それぞれ駆動する必要のない相手側の遮光幕の駆動に影響を及ばす虞が無いので２箇所の帯状電極を光学的開口部に対し内側と外側に分けて配設する必要がなく、同一形状の基板を点対称に向かい合わせるだけでシャッタ装置を構成できるので、シャッタ装置の小型化にも貢献することができる。
【図面の簡単な説明】
【００５２】
【図１】(a),(b) は実施例１の光量調節装置としてのシャッタ装置を備えたレンズ装置が組み込まれるデジタルカメラの概略構成を示す図である。
【図２】実施例１に係わるレンズ装置のＡ−Ａ´矢視断面をデジタルカメラの左方から見てレンズユニット各部の概略の構成を示す図である。
【図３】(a) は実施例１のシャッタ装置が配設されるレンズ装置をデジタルカメラの背面側から見た拡大斜視図、(b) はそのシャッタ装置を単独に示す図である。
【図４】実施例１のシャッタ装置の分解斜視図である。
【図５】(a),(b) は本発明のシャッタ装置におけるシャッタ機構の駆動原理を説明する図である。
【図６】エレクトレットシャッタとその駆動回路を模式的に示す図である。
【図７】駆動回路によって生成されて帯状電極に印加される電圧信号列を示す図である。
【図８】(a) 〜(d) はエレクトレットシャッタの動作を更に説明する図である。
【図９】(a) は実施例２の光量調節装置としてのフォーカルプレーンシャッタ装置が組み込まれたカメラ本体の交換レンズを取り外した正面図、(b) はその交換レンズの正面図である。
【図１０】実施例２としてのフォーカルプレーンシャッタ装置の分解斜視図である。
【符号の説明】
【００５３】
１      デジタルカメラ
２      撮影レンズ窓
３      ストロボ照射窓
４      レリーズボタン
５      回路基板
６      電池
７      レンズ装置
８      第１の固定鏡枠部
９      第１の固定レンのズ部
１１    第１の移動鏡枠
１２    第１の移動レンズ部
１３    第２の移動鏡枠
１４    第２の移動レンズ部
１５    第３の移動鏡枠
１６    第３の移動レンズ部
１７    第２の固定鏡枠部
１８    第２の固定レンズ部
１９    撮像素子
２０    シャッタ位置（絞り位置）
２１    シャッタ装置
２２    光学的開口部
２３    遮光幕非移動部
２４    帯状電極（駆動電極）
２５    第１の基板
２６    第１のスペーサ
２７    第１の遮光幕
２８    仕切り板
２９    第２の遮光幕
３１    第２のスペーサ
３２    第２の基板
３３、３４  光学的開口部
３５    空白部
３６    帯状電極
３８    固定子
３９    移動子
４１    光学的開口
４２    帯状電極（駆動電極）
４３    駆動（電圧印加）回路
４４    誘電体（エレクトレット）
４５    パルス発生回路
４６    昇圧回路
４７    位相器
５０    カメラ本体
５１    交換レンズ取り付け部
５２    交換レンズ
５３    フォーカルプレーンシャッタ装置
５４    握り部
５５    シャッタボタン
５６    第１の基板
５７    第１のスペーサ
５８    第１の遮光幕
５９    仕切り板
６０    光学的開口部
６１    第２の遮光幕
６２    第２のスペーサ
６３    第２の基板
６４    光学的開口部
６５    遮光幕非移動部
６６    帯状電極（駆動電極）
６７    光学的開口部
６８    遮光幕非移動部
６９    帯状電極（駆動電極）
【図１】
2005326600.tif 000003
【図２】
2005326600.tif 000004
【図３】
2005326600.tif 000005
【図４】
2005326600.tif 000006
【図５】
2005326600.tif 000007
【図６】
2005326600.tif 000008
【図７】
2005326600.tif 000009
【図８】
2005326600.tif 000010
【図９】
2005326600.tif 000011
【図１０】
2005326600.tif 000012